(57)【特許請求の範囲】
【請求項１】
袋口（１２Ａ）を有する可撓性の袋（１２）を備え、
前記袋口の縁部に、前記袋の外側に突出する補強用のカラー（１８、１１８）の対向する二つの壁が固定されており、
前記二つの壁を互いに接続する主折り目（１７、１１７）に沿って前記二つの壁が互いに対向するように前記カラーが折りたたまれる平坦状態と、前記袋口を開いた状態に保持する通路を前記二つの壁が形成する使用状態とをとる、パウチ（１０）であって、
前記主折り目（１７、１１７）は、前記パウチ（１０）が前記平坦状態のとき及び前記使用状態のときの両方で横方向外側に突出する前記袋口とは反対側の端部（１７Ａ、１１７Ａ）と、前記カラー（１８、１１８）の外側に向かう方向に面する凹辺とを有し、
前記カラーは、前記使用状態において前記端部によって規定される鼻部（１８'、１１８'）を有し、
前記カラー（１８、１１８）の各壁（２０Ａ、２０Ｂ、１２０Ａ、１２０Ｂ）は、前記主折り目（１７、１１７）と前記カラーにおける前記袋口（１２Ａ）とは反対側の自由端（１８Ｂ、１１８Ｂ）とを接続する第２の折り目（２１Ａ、２１Ｂ、１２１Ａ、１２１Ｂ）であって、前記使用状態において前記鼻部（１８'、１１８'）と前記カラーの残りの部分との境界となる第２の折り目（２１Ａ、２１Ｂ、１２１Ａ、１２１Ｂ）を有することを特徴とする、パウチ。
【請求項２】
複数の前記第２の折り目（２１Ａ、２１Ｂ、１２１Ａ、１２１Ｂ）が前記主折り目（１７、１１７）について対称であることを特徴とする、請求項１に記載のパウチ。
【請求項３】
複数の前記第２の折り目（２１Ａ、２１Ｂ、１２１Ａ、１２１Ｂ）は、前記凹辺が前記主折り目（１７、１１７）の方を向くようにカーブしていることを特徴とする、請求項１または請求項２に記載のパウチ。
【請求項４】
前記カラー（１１８）の前記袋口（１２Ａ）からの突出度合いが、前記カラーの幅方向において、前記主折り目（１１７）近傍の最小高さ（ｈ１）と、前記主折り目とは反対側の前記カラーの横方向端部近傍の最大高さ（ｈ２）との間で変化することを特徴とする、請求項１〜３のいずれかに記載のパウチ。
【請求項５】
前記平坦状態において、前記カラー（１１８）における前記袋口（１２Ａ）とは反対側の自由端（１１８Ｂ）が、前記鼻部（１１８'）の自由端の少なくとも一部を規定する凹型ゾーン（Ｃ１）を有するカーブを形成することを特徴とする、請求項４に記載のパウチ。
【請求項６】
前記カーブが、前記凹型ゾーンと前記主折り目（１１７）の反対側の前記カラー（１１８）の横方向端部との間に延在する凸型ゾーン（Ｃ２）を有することを特徴とする、請求項５に記載のパウチ。
【請求項７】
前記カラー（１８、１１８）は、前記主折り目とは反対側において、前記袋口の縁部から横方向に突出する第１長手方向端部帯（３０Ａ、１３０Ａ）を有する第１壁（２０、１２０Ａ）と、前記パウチが前記平坦状態から前記使用状態に移行する際に前記第１長手方向端部帯の内面をスライドするのに適したスライド端部（３２Ｂ、１３２Ｂ）を有する第２壁（２０Ｂ、１２０Ｂ）とを含むことを特徴とする、請求項１〜６のいずれかに記載のパウチ。
【請求項８】
前記カラー（１１８）の前記二つの壁を前記通路の形状に保持する手段（１５０Ａ、１５０Ｂ）を有することを特徴とする、請求項１〜７のいずれかに記載のパウチ。
【請求項９】
前記カラー（１１８）は、前記袋口（１２Ａ）とは反対側で且つ前記主折り目（１１７）から離れた部分に、前記二つの壁（１２０Ａ、１２０Ｂ）にそれぞれ設けられた二つのホルダー舌部（１５０Ａ、１５０Ｂ）を有し、前記二つのホルダー舌部が前記使用状態において少なくとも部分的に重なり合うことを特徴とする、請求項１〜８のいずれかに記載のパウチ。
【請求項１０】
前記二つの壁（１２０Ａ、１２０Ｂ）のそれぞれにおいて、前記ホルダー舌部（１５０Ａ、１５０Ｂ）が、当該壁の前記主折り目（１１７）とは反対側の端部と、前記カラー（１１８）の自由端（１１８Ｂ）から前記袋口（１２Ａ）に向かって長手方向に切れ込まれたノッチ（１５２Ａ、１５２Ｂ）との間に延在することを特徴とする、請求項９に記載のパウチ。
【請求項１１】
前記二つの壁（１２０Ａ、１２０Ｂ）が前記通路を形成するときに重なり合う前記カラーの二つの部分（１３０Ａ、１３０Ｂ）が、それぞれ、穴（１５４Ａ）と、前記穴と係合するのに適した突起（１５４Ｂ）とを有することを特徴とする、請求項１〜１０のいずれかに記載のパウチ。
【請求項１２】
前記二つの部分（１３０Ａ、１３０Ｂ）が、前記二つの壁（１２０Ａ、１２０Ｂ）における前記主折り目（１１７）から離れた部分にそれぞれ設けられることを特徴とする、請求項１１に記載のパウチ。
【発明の詳細な説明】
【技術分野】
【０００１】
本発明は、可撓性の袋を備えたパウチに関する。可撓性の袋は、袋口を有する。袋口の縁部に、袋の外側に突出する補強用のカラーの対向する二つの壁が固定されている。パウチは、カラーの二つの壁を互いに接続する主折り目に沿って二つの壁が互いに対向するようにカラーが折りたたまれる平坦状態と、袋口を開いた状態に保持する通路を二つの壁が形成する使用状態とを取ることができる。
【背景技術】
【０００２】
この種のパウチは、例えば特許文献１に記載されている。このようなパウチは、主に液状の物質、特に尿等の人間や動物の排泄物を入れるために用いられる。パウチは平坦状態で保管される。使用時には、カラーはその壁が袋口を開いた状態に保持する通路を形成するように操作される。これによりパウチが使用状態となり、パウチの内部に排泄物を投入可能となる。排泄物が投入されると、パウチを平坦状態に戻すため、カラーは解除される。
【０００３】
このようなパウチは、一般に、プラスチックその他の（場合によっては透明で、所望の柔軟性を有する素材からなる）薄いシートによって構成される。袋口を開けるためのカラーの操作は、カラーの複数の壁を変形させて（パウチの外側から見て）凸型とし、袋口を開いた状態に保持する通路を壁の間に形成する工程を含む。
【０００４】
特許文献１は、カラーが通路の形状をとる際に、袋の複数の壁が、袋口の縁部だけでなく袋口の下流側でも互いに離隔して、パウチ内に導入された物質が逆流しないようにする、カラーの操作に関する。この目的のため、カラーに複数の内部拡張タブが設けられる。これにより、パウチの袋を作成する際の材料の選択の自由度が非常に高くなる。特許文献１の発明は、袋を形成する複数のシートが、当初は互いに対して多少粘着した状態であっても、また高い柔軟性を有していても、シートが互いに確実に離隔するようにするものである。
【０００５】
上記特定の種類のパウチを作成するにあたっての一つの課題は、物質（特に尿等の排泄物）を袋の内部で効果的に移動させることである。パウチが男性の排泄用パウチとして使用される場合、特に困難は生じない。これは、使用者のペニスが袋口を通って（カラーによって形成された通路に）十分な長さで挿入されるからである。同様に、いかなる排泄物の収集用途であっても、袋口からパウチ内に十分な長さで挿入可能に突出した終端または部材から排泄物を導入して、物質をパウチ内部まで移動させられるものであれば、困難は生じない。
【０００６】
一方、パウチを上記の用途とは別の用途に用いる場合、すなわち、物質の流入元である部材が、カラーによって形成された通路に挿入できないタイプもの、または、カラーによって形成される通路の十分に奥まで挿入することができないタイプのものである場合には、困難が生じる。例えば、パウチが女性用の尿瓶である場合である。このような場合、例えば尿のような物質は、袋の外側に突き出たカラーの端部からパウチに導入される。
【０００７】
本願発明者は、カラーの自由端が特許文献１に記載の形状であるとき、自由端からの物質の誘導が不十分であることを発見した。これは、特にパウチが女性用の尿瓶として用いられる際に顕著である。
【０００８】
特許文献２は、特に、自由端が女性の解剖学的構造に合う形を有するように構成された女性用尿瓶に関する。しかし、この尿瓶は全体的に剛体である。本発明のパウチとは異なり、この尿瓶は限られたスペース内で保管するのには適していない。
【０００９】
特許文献３は、人間工学に基づき、女性の解剖学的構造に合う形のカラーを有する女性の排泄用パウチを構成するバウチに関する。しかし、このカラーも剛体で平坦状にすることができず、保管スペースの点で問題がある。
【先行技術文献】
【特許文献】
【００１０】
【特許文献１】欧州特許第０８４７７４２号明細書
【特許文献２】仏国特許出願公開第２７３５３５８号明細書
【特許文献３】仏国特許出願公開第２８９８２６９号明細書
【発明の概要】
【発明が解決しようとする課題】
【００１１】
本発明は、平坦状態を取ることができ、パウチに挿入された物質をパウチの底まで導く形状のカラーを有する一方、特に女性の排泄用パウチとして用いられる場合の漏れのリスクを減少させたパウチを提案することで、上記問題の解決を目指すものである。
【課題を解決するための手段】
【００１２】
上記の目的は、前記主折り目が、前記パウチが前記平坦状態のとき及び前記使用状態のときの両方で横方向外側に突出する前記袋口とは反対側の端部を有し、前記カラーが、前記使用状態において前記端部によって規定される鼻部を形成する構成とすることで達成される。
【００１３】
上記の構成により、使用状態になるようにカラーが操作されると、鼻部が自然に形成される。この鼻部は、物質のパウチ内部への案内を容易にする。特にパウチが女性用尿瓶として用いられる場合、鼻部は外陰部の後部に対向するように配置され、女性の解剖学的構造とパウチとの間における尿漏れのリスクを減少させる。
【００１４】
本発明のパウチは多くの用途に利用可能である。鼻部の存在により、物質はより良好に通路に沿ってパウチに運ばれる。この点は、物質がパウチ内に挿入できない部材から流し込まれる際に特に有用である。さらに、本発明では部材をパウチに挿入する深さについて特に注意を払うことなく漏れを防止できることから、パウチに挿入可能な部材から物質を流入させる際にも有用である。
【００１５】
前記主折り目は、前記カラーの外側に向かう方向に面する凹辺を有する。パウチが平坦状態から使用状態に移行すると、この凹辺が、折り目に沿った開く動きを助け、自然と鼻部が形成されるようにアーチ効果をもたらす。
【００１６】
前記カラーの各壁は、第２の折り目を有する。前記第２の折り目は、前記主折り目と、前記カラーにおける前記袋口とは反対側の自由端とを接続し、前記使用状態において前記鼻部と前記カラーの残りの部分との間の境界を形成する。パウチが平坦状態から使用状態へ移行する際、カラーの複数の壁が第２の折り目に沿って窪み、鼻部がより確実に形成される。
【００１７】
好適には、複数の前記第２の折り目が前記主折り目について対称である。鼻部はこれにより対称に形成される。
【００１８】
好適には、複数の前記第２の折り目は、前記凹辺が前記主折り目の方を向くようにカーブしている。これにより、横方向に突出する鼻部の形成がより確実になる。
【００１９】
好適には、前記カラーの前記袋口からの突出度合いが、前記カラーの幅方向において、前記主折り目近傍の最小高さと、前記主折り目とは反対側の前記カラーの横方向端部近傍の最大高さとの間で変化する。この高さの変化は、パウチが女性の排泄用パウチとして用いられる際に特に有用である。これは、パウチを使用する女性の外陰部にカラーの自由端を押し付けて、鼻部を含む最も低い部分が外陰部の後部に位置するようにすることが容易になるからである。
【００２０】
好適には、前記カラーは、前記袋口の縁部から横方向に突出する第１長手方向端部帯を有する第１壁と、前記パウチが前記平坦状態から前記使用状態に移行する際に前記第１長手方向端部帯の内面に対してスライド可能なスライド端部を有する第２壁とを含む。これにより、カラーの長手方向縁部に圧力がかかって長手方向端部が互いに対して移動する際、袋口の縁部に対して横方向に第１長手方向端部帯が突出することから、カラーの第１壁が確実に凸型に変形する。このように第１壁が凸型になることで、第２壁のスライド端部は第１長手方向端部帯の内面に対してスライドさせられ、その内面は凹型になる。これにより、第２壁が第１壁から離れ、これら二つの壁がその間に袋口を開いた状態で保持する所望の通路を形成する。さらに、スライド端部と第２壁との間のスライド接触により、排泄物がパウチ内に導入される間の遮水性がもたらされ、排泄物が、スライド端部と第１長手方向端部帯とを有する通路の端部から漏れることが防止される。
【００２１】
特に、カラーは、例えばプラスチック素材の射出成形によって形成されてもよい。これにより、両壁が主折り目で接続された一体型の形状を得ることができる。また、カラーは、それぞれが各壁を形成するように平坦に切り抜かれた二つの側部からなっていてもよい。これらの側部は（溶着等によって）主折り目に沿って互いに接続される。
【００２２】
本発明では、袋口から離隔したカラーの自由端の形状の自由度が高い。この自由端は、例えばパウチが男性の尿瓶として用いられる際には、直線状でもよい。他の用途として、例えばパウチが女性用尿瓶として用いられる場合は、上記のように他の形状であってもよい。
【００２３】
好適には、本発明のパウチは、前記カラーの前記二つの壁を前記通路の形状に保持する手段を有する。例えば、前記カラーは、前記袋口とは反対側で且つ前記主折り目から離れた部分に、前記二つの壁にそれぞれ設けられた二つのホルダー舌部を有し、前記二つのホルダー舌部が前記使用状態において少なくとも部分的に重なり合う。これらのホルダー舌部により、通路が形成された際に、カラーの取っ手となり通路形状を維持する、グリップ部分が形成される。
【００２４】
前記二つの壁が前記通路を形成するときに重なり合う前記カラーの二つの部分が、それぞれ、穴と、前記穴と係合するのに適した突起とを有してもよい。これら重なりあう二つの部分は、好適には、前記二つの壁における前記主折り目から離れた部分にそれぞれ設けられる。
【００２５】
本発明とその利点は、非限定的な例示によって提示される下記実施形態の詳細な説明によって、よりよく理解されるであろう。この説明は下記に示す添付の図面を参照する。
【図面の簡単な説明】
【００２６】
【図１】平坦状態にある本発明のパウチの平面図である。
【図２】図１のパウチのカラーの斜視図である。
【図３】変形例における図１のカラーの二つの壁の平面図である。
【図４】図１のパウチが使用状態にあるときのカラーの形状を示す透視図である。
【図５】特に女性用尿瓶の用途である変形例における、カラーの袋口に近い部分の平面図である。
【図６】図５のパウチのカラーの斜視図である。
【図７】図５のパウチが使用状態にあるときのカラーの形状を示す透視図である。
【発明を実施するための形態】
【００２７】
図１が示すパウチ１０は、可撓性の袋１２を有する。この袋１２は、プラスチック素材でできた二つの薄いシートからなり、これらのシートを適切に切り抜いて、溶着線１４において輪郭のほぼ全体で互いに溶着することで形成される。この袋１２は、溶着線１４上の中断部からなる袋口１２Ａを有する。袋口１２Ａを介して、袋１２の内部空間と外部空間とが通じている。
【００２８】
図示の例では、袋１２の幅が狭まる部分である、首部１６の自由端に袋口１２Ａが設けられる。
【００２９】
袋１２は、袋口１２Ａに固定され且つ袋１２の外側に突き出した補強用のカラー１８を有する。
【００３０】
具体的には、カラー１８は、袋口１２Ａから袋１２の外部に突出するカラー主要部だけでなく、袋口１２Ａから袋１２の内部に挿入され袋口１２Ａの幅Ｌ全体にわたって延在する内側部１８Ａも有する。
【００３１】
例えば、袋１２を形成するシートを柔軟性のあるプラスチック素材で作成する一方、カラー１８をより強度のあるプラスチック素材で作成する。これにより、カラー１８を袋１２に固定する作業において、袋１２の各シートをカラー１８の各壁に溶着または接着することができる。図１に示すように、二つの溶着線１９Ａ、１９Ｂは、排泄物がパウチに導入される方向である方向Ｄに対して横方向に延びている。図１に示すカラー１８の正面側の壁２０Ａは、袋１２の対応するシートに、溶着線１９Ａ、１９Ｂに沿って溶着されている。カラー１８の裏側の壁２０Ｂも、袋１２の対応するシートに、同様に溶着されている。
【００３２】
図１に示すように、袋口１２Ａと反対の部分において、溶着線１４は、例えば微小穴のミシン目によってなる脆弱線１５Ａを有する。脆弱線１５Ａは、溶着線１４内にのみ延在し、袋１２の内部空間には達しない。パウチ１０が排泄物でいっぱいになった場合、この排泄物は、脆弱線１５Ａに沿って、破れ目を袋１２の内部空間に達するのに必要な力をかけることで、排出される。
【００３３】
さらに、袋口１２Ａに隣接する側部の一つにおいて、溶着線１４は、上記と同様に非連続な複数の穴からなる、脆弱線１５Ｂを有する。脆弱線１５Ｂは、袋１２の内部空間から離れており、脆弱線１５Ｂに沿って裂け目を形成する場合にその裂け目が袋１２の内側に達しないような方向に設けられている。よって、パウチ１０が満杯になってパウチ１０を空にする前に保管しておく必要がある場合、脆弱線１５Ｂに沿って裂け目を形成することで、パウチ１０をフック等にかけておくことができる。
【００３４】
図１は、パウチが特許文献１に記載の安全バルブを有することをさらに示す。このバルブは、パウチの壁それぞれに対向するように設けられた複数の内側シートからなる。図示の例では、パウチの二つの壁それぞれについて、バルブは、袋口１２Ａからパウチの中間部まで延びる第１シート対２２と、第１シート対２２の内部で延在する第２シート対２４と、第２シート対２４の内部で延在する第３シート対２６とを有する。シート２４はシート２２より短く、シート２６はシート２４より短い。これらのシートは、それぞれが位置する箇所においてパウチの幅全体に延在し、互いに対して、および溶着線１４上で袋の壁に対して、溶着されている。シート対２４のシートはスポット溶着点２５において互いに対して溶着されており、シート対２６および２４のシートは、スポット溶着点２５に対してずれたスポット溶着点２７において互いに対して溶着されている。これらの様々なシート対が適切に溶着されて、使用時の取り扱いの際にパウチ内に収納された排泄物の逆流を防ぐ、逆流防止バルブを構成する。
【００３５】
脆弱線１５Ｂは、シートの各層のいくつか又は全てが存在する溶着線１４の部分に存在する。溶着線１４のこの部分は特に強度が高く、上記のようにパウチ１０をかけておく用途に適している。
【００３６】
本発明は、さらに具体的には、カラー１８に関する。上記のように、カラー１８は、袋口１２Ａを横切って、カラー１８の内側部１８Ａが袋口１２Ａの幅Ｌ全体にわたって延在するように、溶着される。側面図である図１において、カラー１８では、平坦状態で、「第１」壁と以下で呼ばれる正面側の壁２０Ａが見える一方、「第２」壁２０Ｂは第１壁２０Ａによって隠されている。
【００３７】
さらに、図２において、二つの壁２０Ａ、２０Ｂが主折り目１７において接続されていることが分かる。主折り目１７は、横方向外側に突出する端部１７Ａ（袋口１２Ａとは反対側の端部）を有する。「外側」は、本願では、図１の矢印Ｅが示す方向（主折り目１７とは反対側のカラーの長手方向縁部から遠ざかる方向）である。「長手方向」は、本願では、排泄物をパウチ１０に挿入する方向Ｄであり、カラー１８の軸として規定される。端部１７Ａは、パウチ１０が平坦状態のとき（図１参照）およびパウチ１０が使用状態のとき（図４参照）の両方で、横方向外側に突出する。
【００３８】
図４は、パウチ１０が使用状態のときのカラー１８の形状を示す。パウチ１０が使用状態のとき、端部１７Ａは鼻部１８'を形成する。
【００３９】
特に図１及び図２に示すように、主折り目１７は、カラーの外側に向かう方向（すなわち矢印Ｅの方向）に向いた凹辺を有する。具体的には、主折り目１７は、基部１７Ｂが実質的に直線かつ長手方向に伸びており、直線の端部１７Ａを形成するように折れ曲がっている。図示の例では、折れ曲がり１７'Ａは角度を有し、折れ曲がりの両側に位置する折り目の二つの部分は両方共直線である。折れ曲がりをよりなだらかな形状にしてもよいし、各部分は多少カーブしていてもよい。
【００４０】
図示の例では、カラー１８の壁２０Ａ、２０Ｂは、第２の折り目２１Ａ、２１Ｂをそれぞれ有する。各壁２０Ａ、２０Ｂにおいて、第２の折り目２１Ａまたは２１Ｂは、主折り目１７と、カラー１８の上端部（すなわち、カラー１８におけるパウチの袋口１２Ａとは反対側の自由端）１８Ｂとを接続する。これら第２の折り目２１Ａ、２１Ｂにより、カラー１８が平坦状態から使用状態に移行した際に、鼻部１８’にある程度の容積が与えられる。第２の折り目２１Ａ、２１Ｂは、鼻部１８’とカラー１８の残りの部分との間の境界を形成する。パウチ１０が使用状態に移行する際、カラー１８は通路を形成し、その壁２０Ａ、２０Ｂは第２の折り目２１Ａ、２１Ｂに沿って自然にカーブして、鼻部１８’が自然に形成される。
【００４１】
特に図２及び図４に示すように、第２の折り目２１Ａ、２１Ｂは主折り目１７について対称である。さらに、図示の例では、第２の折り目２１Ａ、２１Ｂはカーブして、凹辺が主折り目に面するように構成されている。これら第２の折り目２１Ａ、２１Ｂは、一般的には長手方向に対して傾斜した直線でもよく、或いは、複数の直線部からなっていてもよい。
【００４２】
鼻部１８'は、特に尿のような物質を、カラー１８の内部、最終的にはパウチ１０の内部に、導くように構成されている。主折り目１７の形状、および、第２の折り目２１Ａ、２１Ｂの形状により、カラー１８がパウチ１０の使用状態となる通路を形成すると、鼻部１８'が自然に形成される。鼻部１８'の存在は、パウチ１０とカラー１８とを収納時に完全な平坦状態にすることを全く妨げるものではない。
【００４３】
以下、カラー１８の別の特徴について記述する。カラー１８の壁２０Ａは、袋口１２Ａの縁部から横方向に突出する第１長手方向端部帯３０Ａを有する。第１長手方向端部帯３０Ａは、長手方向Ｄと垂直な横方向Ｄｌにおいて、袋口１２Ａの縁部から幅ｌ分突出している。図２から、カラー１８がパウチ１０内に配置されたときに、カラー１８の壁２０Ａが、幅ｌの段部３１Ａ分だけ、袋口１２Ａから突出するように構成されていることが分かる。
【００４４】
反対側にあるカラー１８の第２壁２０Ｂは、パウチ１０が平坦状態から使用状態に移行する際に第１長手方向端部帯３０Ａの内面をスライドするのに適したスライド端部３２Ｂを有する。
【００４５】
カラー１８を変形させて図４の状態にするために、使用者は、図１に示すカラー１８の基部のゾーンＺ１、Ｚ２に圧力をかける。この圧力によって、カラー１８の対向する長手方向縁部が互いに対して近づき、カラー１８の壁２０Ａ、２０Ｂがそれぞれ曲がって、カラー１８は通路を形成する。
【００４６】
同様に、ゾーンＺ２が鼻部の下に位置することで、鼻部１８’は注ぎ口の形状となる。より正確には、上記のように、カラー１８の壁２０Ａ、２０Ｂは第２の折り目２１Ａ、２１Ｂに沿って折り曲げられる。カラー１８の壁２０Ａ、２０Ｂにおける第２の折り目２１Ａ、２１Ｂと主折り目１７との間の（図４の上方向に向かう）部分は、横方向外側に突出し続けつつ互いに対して離隔し、鼻部１８’を注ぎ口の形状にする。
【００４７】
第１長手方向端部帯３０Ａ及びスライド端部３２Ｂは、カラー１８が通路の形状となるのを容易にする。ゾーンＺ１、Ｚ２への圧力により、第１壁２０Ａは凸型となり、第１壁２０Ａの自由延長部を形成する第１長手方向端部帯は、カーブのより緩やかな凸型となる。第１壁２０Ａの内面は、スライド端部３２Ｂに対して反力を及ぼす。このように、第１長手方向端部帯３０Ａが特定の形状を有していることで、スライド端部３２Ｂは、第１壁２０Ａの内面上をスライドすることを余儀なくされ、第２壁２０Ｂを凸型にする。よって、二つの壁２０Ａ、２０Ｂの間に、パウチ１０の袋口１２Ａを開いた状態に保持する通路が設けられる。
【００４８】
具体的には、スライド端部３２Ｂは、第２長手方向端部帯３０Ｂの端部に形成されている。第２長手方向端部帯３０Ｂは、カラー１８の第２壁２０Ｂの一部を形成し、袋口１２Ａの縁部から横方向に突出する。少なくとも一部分において、第２長手方向端部帯３０Ｂは第１長手方向端部帯３０Ａよりも少ない度合いで横方向に突出する。具体的には、第２長手方向端部帯３０Ｂが横方向に突出する度合いは、スライド端部３２Ｂがスライドすることにより、スライド端部３２Ｂの基部の段部３１Ｂにおける突出の最小値ｅとカラー１８の自由端１８Ｂにおける最大値ｌとの間で変化する。
【００４９】
図２は、壁２０Ａ、２０Ｂが主折り目１７によって接続された、カラー１８の部分を図示する。カラー１８は射出成形等により形成された単一の部材であってもよい。この状況下で、二つの壁２０Ａ、２０Ｂのフレア角αは、３０度から９０度、好ましくは型抜きを容易にするために６０度である。折り目１７、２１Ａ、２１Ｂは、好適には、カラー１８の材料の厚みを部分的に減少させることで形成される。
【００５０】
図３に示すように、カラー１８を二つの平坦な部材から形成してもよい。すなわち、壁２０Ａ、２０Ｂをそれぞれ形成する二つの個別の側部を、それぞれの縁部２０’Ａ、２０’Ｂに沿って溶着し、溶着された縁部２０’Ａ、２０’Ｂによって折り目を形成してもよい。溶着は、折り曲げが容易になるように、部分的な余計な厚みを避けて行われる。
【００５１】
カラー１８における主折り目１７とは反対側の端部は、互いに対して自由に移動可能である。これは、カラー１８における袋口１２Ａから突出する部分の全てに該当する。特に、カラー１８の内側部１８Ａに関して、平坦状態におけるこの内側部１８Ａの幅Ｌが袋口１２Ａの幅に対応することは前述のとおりである。よって、この内側部１８Ａにおいて、縁部３５Ａ、３５Ｂは、溶着線１４の存在により、互いに対して移動不可能または実質的に移動不可能である。袋口１２Ａの側部において、溶着線１４は、カラー１８（すなわち、主折り目１７において内側部１８Ａに延びる部分、および、縁部３５Ａ、３５Ｂの部分）に多少噛み合っていてもよい。
【００５２】
図１〜図４に示す例では、袋口１２Ａからのカラー１８の突出度合いはほぼ一定である。当然ながら、カラー１８の上端部１８Ｂを、必要に応じて多少滑らかにしてもよい。つまり、面取りを行ったり、丸笹縁（rounded bead）１８Ｂ’を設けたりしてもよい。
【００５３】
以下、図５〜図７を参照して、カラーの変形例を記載する。図５は、パウチ１０の袋口１２Ａに近い部分のみを示す。カラー１１８は、下記二つの点を除いて上記のカラー１８と同一である。第一に、カラー１１８における袋口１２Ａとは反対側の自由端１１８Ｂが、特定の形状（特に、女性用尿瓶として用いるのに適した形状）を有する。このことから、自由端は、触れた際に肌触りのよい丸笹縁１１８Ｂ’等を有する。第二に、カラー１１８の内側部１１８Ａに、以下に記載する拡張タブが設けられている。
【００５４】
カラー１１８を構成する各部材には、カラー１８の対応する部材の番号に１００を足した符号をつけている。図５〜図７を参照すると、カラー１１８が、端部１１７Ａを有する主折り目１１７によって互いに接続された第１壁１２０Ａ及び第２壁１２０Ｂを有することがわかる。こ第１壁１２０Ａ及び第２壁１２０Ｂは、それぞれ、第２の折り目１２１Ａ、１２１Ｂを有する。
【００５５】
第１壁１２０Ａが第１長手方向端部帯１３０Ａを有する一方、第２壁１２０Ｂは第２長手方向端部帯１３０Ｂの端部に設けられたスライド端部１３２Ｂを有する。これら二つの長手方向端部帯１３０Ａ、１３０Ｂは、袋口１２Ａから横方向に突出する。第１長手方向端部帯１３０Ａは、一般的に溶着線１４に対応して設けられ、溶着線１４の幅と略対応する幅を有する。第２長手方向端部帯１３０Ｂは、溶着線１４の幅ｌ１４に対応した、ほぼ一定の幅の自由端部１３０Ｂ’を有する。第２長手方向端部帯１３０Ｂは、袋口１２Ａの縁部と自由端部１３０Ｂ’との間に、スライド端部１３２Ｂを有する。スライド端部１３２Ｂは、スライド端部３２Ｂと同様に傾斜して、第１長手方向端部帯１３０Ａの内面でスライドしやすく構成されている。各帯１３０Ａ、１３０Ｂの基部に、段部３１Ａ、３１Ｂとそれぞれ同じ段部１３１Ａ、１３１Ｂが設けられている。
【００５６】
カラー１８と同様に、カラー１１８も、溶着された平坦な二つの側部からなっていてもよいし、図６のように成型によって得られた単一の部材であってもよい。
【００５７】
カラー１１８の袋口１２Ａからの突出度合いは、カラー１１８の幅方向において、主折り目１１７近傍の最小高さｈ１と、主折り目１１７とは反対側のカラー１１８の横方向端部近傍（具体的には、第１長手方向端部帯１３０Ａとスライド端部１３２Ｂとが位置する端部近傍）の最大高さｈ２との間で変化する。
【００５８】
図５に示すように、パウチ１０が平坦状態にあるとき、カラー１１８における袋口１２Ａとは反対側の自由端１１８Ｂは、鼻部１１８’の自由端を少なくとも部分的に規定する凹型ゾーンＣ１を形成するようにカーブしている。このカーブは、凹型ゾーンＣ１と主折り目１１７の反対側のカラー１１８の横方向端部との間に延在する凸型ゾーンＣ２をも有する。このカーブは実質的にＳ字型であり、その中央部は、ゾーンＣ１、Ｃ２を接続する上りランプとなっている。ゾーンＣ１、Ｃ２の端部Ｓ１、Ｓ２は多少丸められている。この形状は、女性用の尿瓶にパウチ１０が用いられる際に特に採用される。パウチ１０の使用時には、カラー１１８を変形させて通路を形成し、カラー１１８を、端部Ｓ２に対応する最も低い部分が外陰部の後部に位置するように、配置する。
【００５９】
図５〜図７に示す変形例では、カラー１１８が複数の拡張タブをさらに有する。より正確には、カラー１１８の袋１２内の部分１１８Ａが、拡張タブ１４０Ａ、１４０Ｂを有する。拡張タブ１４０Ａ、１４０Ｂは、カラー１１８の二つの壁１２０Ａ、１２０Ｂそれぞれの延長として形成され、それぞれ横方向自由端１４０’Ａ、１４０’Ｂを有する。横方向自由端１４０’Ａ、１４０’Ｂは、特許文献１に記載され、また図６から理解できるように、パウチ１０の使用状態において互いに対して展開して袋１２の対向する面を引き離すのに適している。拡張タブ１４０Ａ、１４０Ｂは、好適には、リッジ１４１Ａ、１４１Ｂ等によって強度が高められている。
【００６０】
好適には、パウチ１０は、カラー１１８の壁を通路の形状に保持する手段を有する。これにより、カラー１１８は、第１壁１２０Ａ及び第２壁１２０Ｂにそれぞれ設けられた二つのホルダー舌部１５０Ａ、１５０Ｂを有する。ホルダー舌部１５０Ａ、１５０Ｂは、当該壁の主折り目１１７から遠い側の横方向端部に設けられ、カラー１１８の自由端に向かって（即ち、パウチの袋口１２Ａから離れる方向に）延びている。より正確には、壁１２０Ａ、１２０Ｂのそれぞれにおいて、ホルダー舌部１５０Ａ、１５０Ｂは、主折り目１１７とは反対側の壁の端部（特に帯１３０Ａまたはスライド端部１３２Ｂを有する端部）と、ノッチ１５２Ａ、１５２Ｂとの間に延在する。各ノッチ１５２Ａ、１５２Ｂは、カラー１１８の自由端１１８Ｂからパウチ１０の袋口１２Ａに向かって長手方向に口を開けている。
【００６１】
図７から分かるように、パウチ１０が使用状態のとき、ホルダー舌部１５０Ａ、１５０Ｂは重なりあい、カラー１１８は通路を形成する。二つの重なりあうホルダー舌部１５０Ａ、１５０Ｂを持って、二つの指の間でこれらをつまむようにして、カラー１１８を通路の形状に保持することができる。さらに、カラー１１８の通路の形状を安定化するため、ホルダー舌部１５０Ａ、１５０Ｂを、図７に示す折り曲げ線１５３に沿って外側に折り曲げることができる。
【００６２】
当然のことながら、上記のホルダー舌部は、図１〜図４の実施形態の変形例でも利用可能である。
【００６３】
図５〜図７は、カラーの壁を通路の形状に保持する他の手段も示す。第２長手方向端部帯１３０Ｂは、外側に突出するスタッド１５４Ｂを有し、第１長手方向端部帯部１３０Ａは、カラー１１８の通路形状を保持するために、上記スタッドが挿入される穴１５４Ａを有する。
【００６４】
一般的に、スタッドと穴とは、カラー１１８の壁が通路形状となった際に重なり合うように、カラー１１８の二つの部分にそれぞれ設けられる。これら二つの部分は、好ましくは主折り目１１７から離れた位置に設けられる。よって、図示のように、これら二つの部分は、二つの長手方向端部帯であってもよい。
【００６５】
適切な保持システムを用いた挟持またはスナップにより、スタッドが袋口と協働するように構成してもよい。例えば、スタッドが保持ヘッドを有する一方、袋口が、広い挿入部と狭い保持部とを有する鍵穴状に形成されてもよい。
【００６６】
ホルダー舌部を有する保持手段と、スタッド及び穴を有する保持手段とが、図５〜図７に示すように一体となっていてもよいし、これらの一方だけあるいは両方が設けられてもよい。
【００６７】
カラーを通路形状に保持する手段として、一般的に、上記の手段の他、接着剤を用いた手段等が設けられてよい。
【図１】
0006552006.tif 000002
【図２】
0006552006.tif 000003
【図３】
0006552006.tif 000004
【図４】
0006552006.tif 000005
【図５】
0006552006.tif 000006
【図６】
0006552006.tif 000007
【図７】
0006552006.tif 000008